(57)【要約】      （修正有）【課題】異なる２種類の金属管などの管状部材を曲げることでき、常に外側面方向からその管状部材を差し込むことにより管を左右の手の間で持ち替えたり差し込みにくい体勢で管を差し込んだりせずに曲げることができる折曲げ作業用工具を提供する。【解決手段】使用者が把持する把持部材を取り付ける挿通孔を有する基部１と、基部１の一端側に基部１に対して突出した湾曲状であり、管状部材を保持する折曲げ部２を備え、折曲げ部２が、管状部材と当接しうる第一係合溝２１と、第一係合溝２１に対向する第一支持部２２を有し、管状部材と当接しうる第二係合溝２３と、第二係合溝２３に対向する第二支持部２４を有するものであって、第一係合溝２１及び第二係合溝２３が、曲率半径の異なる曲面状であり、第一支持部２２と第二支持部２３が、前後方向において所定の間隔をあけて設けられている折曲げ作業用工具で解決した。【選択図】図１
2018202453.tif 000002
【特許請求の範囲】
【請求項１】
使用者が把持する把持部材を取り付ける挿通孔を有する基部と、
前記基部の一端側に前記基部に対して突出した湾曲状であり、管状部材を保持する折曲げ部を備え、
前記折曲げ部が、
前記管状部材と当接しうる第一係合溝と、
前記第一係合溝に対向し、前記管状部材を保持したときの前記管状部材の長手方向における長さが前記第一係合溝よりも短く、前記管状部材を支持する第一支持部と、
前記管状部材と当接しうる第二係合溝と、
前記第二係合溝に対向し、前記管状部材を保持したときの前記管状部材の長手方向における長さが前記第二係合溝よりも短く、前記管状部材を支持する第二支持部を有し、
前記第一係合溝及び前記第二係合溝が、前記基部側に向かって窪み曲率半径の異なる曲面状であり、
前記第一支持部と前記第二支持部が、前記管状部材を保持したときの前記管状部材の長手方向において所定の間隔をあけて設けられている
ことを特徴とする折曲げ作業用工具。
【請求項２】
前記第一支持部及び前記第二支持部が、それぞれ前記第一係合溝及び前記第二係合溝に対して膨み曲率半径の異なる湾曲状であることを特徴とする請求項１に記載の折曲げ作業用工具。
【請求項３】
前記基部の一端側の内側面に雌螺子を有することを特徴とする請求項１又は請求項２に記載の折曲げ作業用工具。
【請求項４】
前記第一係合溝及び前記第一支持部の間並びに前記第二係合溝及び前記第二支持部の間であって外側面側において、それぞれ開口部を有することを特徴とする請求項１から請求項３のいずれかに記載の折曲げ作業用工具。
【請求項５】
前記基部に前記把持部材が取り付けられていることを特徴とする請求項１から請求項４のいずれかに記載の折曲げ作業用工具。
【発明の詳細な説明】
【技術分野】
【０００１】
本発明は、電線を挿通する金属管などの管状部材を手動により所望の角度に折り曲げるときに使用される工具に関する。
【背景技術】
【０００２】
一般に、建築物を建築するときにおいて電気配線を挿通する金属製で管状である管状部材が建物の内部などに配設される。このとき、建築現場において、その現場の状況に応じて金属管を所望の角度に折り曲げる作業が行われ、手動で折り曲げるための工具が使用される。
【０００３】
例えば、特許文献１には、管材の先端に取り付けられ、曲げようとする管をその形状に沿って曲げる湾曲部とその湾曲の上方に管を掛ける係止部を備えるベンダが開示されている。
【先行技術文献】
【特許文献】
【０００４】
【特許文献１】特開２０１６−２０９９２７号公報
【発明の概要】
【発明が解決しようとする課題】
【０００５】
しかしながら、先行特許文献１に記載のベンダでは、１種類の径の管しか曲げることができず、異なる径の管を曲げるためには異なる種類のベンダを複数用意する必要があり、複数用意するとなると費用が嵩み、持ち運ぶときの可搬性が悪く、取り換える手間から作業上の効率が良くないという課題があった。
【０００６】
また、例えば径が異なる２種類の管を曲げるために、一のベンダに２種類の湾曲部及び係止部を設けるとしても、湾曲部及び係止部の外側面方向から管を差し込むためには管を左右の手の間で持ち替えたり差し込みにくい体勢で管を差し込んだりする必要があるなどの作業上の効率が良くないという課題があった。
【０００７】
そのため、本発明において、異なる２種類の金属管などの管状部材を曲げることでき、常に外側面方向からその管状部材を差し込むことにより管を左右の手の間で持ち替えたり窮屈な体勢で管を差し込んだりせずに曲げることができる折曲げ作業用工具を提供することを目的とする。
【課題を解決するための手段】
【０００８】
〔１〕すなわち、本発明は、使用者が把持する把持部材Ｂを取り付ける挿通孔（１２）を有する基部（１）と、前記基部（１）の一端側に前記基部（１）に対して突出した湾曲状であり、管状部材（４）を保持する折曲げ部（２）を備え、前記折曲げ部（２）が、前記管状部材（４）と当接しうる第一係合溝（２１）と、前記第一係合溝（２１）に対向し、前記管状部材（４）を保持したときの前記管状部材（４）の長手方向における長さが前記第一係合溝（２１）よりも短く、前記管状部材（４）を支持する第一支持部（２２）と、前記管状部材（４）と当接しうる第二係合溝（２３）と、前記第二係合溝（２３）に対向し、前記管状部材（４）を保持したときの前記管状部材（４）の長手方向における長さが前記第二係合溝（２３）よりも短く、前記管状部材（４）を支持する第二支持部（２４）を有し、前記第一係合溝（２１）及び前記第二係合溝（２３）が、前記基部（１）側に向かって窪み曲率半径の異なる曲面状であり、前記第一支持部（２２）と前記第二支持部（２４）が、前記管状部材（４）を保持したときの前記管状部材（４）の長手方向において所定の間隔をあけて設けられていることを特徴とする折曲げ作業用工具である。
【０００９】
〔２〕そして、前記第一支持部（２２）及び前記第二支持部（２４）が、それぞれ前記第一係合溝（２１）及び前記第二係合溝（２３）に対して膨み曲率半径の異なる湾曲状であることを特徴とする前記〔１〕に記載の折曲げ作業用工具である。
【００１０】
〔３〕そして、前記基部（１）の一端側の内側面に雌螺子（１３）を有することを特徴とする前記〔１〕又は前記〔２〕に記載の折曲げ作業用工具である。
【００１１】
〔４〕そして、前記第一係合溝（２１）及び前記第一支持部（２２）の間並びに前記第二係合溝（２３）及び前記第二支持部（２４）の間であって外側面側において、それぞれ開口部（３１・３２）を有することを特徴とする前記〔１〕から前記〔３〕のいずれかに記載の折曲げ作業用工具である。
【００１２】
〔５〕そして、前記基部（１）に前記把持部材（Ｂ）が取り付けられていることを特徴とする前記〔１〕から前記〔４〕のいずれかに記載の折曲げ作業用工具である。
【発明の効果】
【００１３】
本発明の折曲げ作業用工具によれば、異異なる２種類の金属管などの管状部材を曲げることでき、常に外側面方向からその管状部材を差し込むことにより管を左右の手の間で持ち替えたり窮屈な体勢で管を差し込んだりせずに曲げることができる。
【図面の簡単な説明】
【００１４】
【図１】本発明の一実施例における折曲げ作業用工具の正面側上方から見た斜視図である。
【図２】本発明の一実施例における折曲げ作業用工具の背面側下方から見た斜視図である。
【図３】本発明の一実施例における折曲げ作業用工具の正面図である。
【図４】本発明の一実施例における折曲げ作業用工具のＡ−Ａ線断面図である。
【図５】本発明の一実施例における折曲げ作業用工具の平面図である。
【図６】本発明の一実施例における折曲げ作業用工具の使用状態を示す斜視図である。
【発明を実施するための形態】
【００１５】
以下、本発明に係る折曲げ作業用工具に関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。
【００１６】
本件出願において、上下方向及び前後方向は、図３における上下方向及び左右方向にそれぞれ対応するものである。
【００１７】
図１から図６は、本発明における折曲げ作業用工具の一実施例を示すものであり、斜視図、正面図、断面図、平面図及びそれらの使用状態に関する図である。
【００１８】
図１から図５に示すように、本発明の折曲げ作業用工具は、使用者が把持する把持部材Ｂを取り付ける挿通孔１２を有する基部１と、その上方に位置し基部１に対して突出したように湾曲する形状を有し、折り曲げようとする金属管などの管状部材４を保持する折曲げ部２を備えている。そして、図６に示すように、把持部材Ｂを基部１に取付け、そして、管状部材４を折曲げ部２に保持して適宜箇所を好適の角度に手動で湾曲させることができる。
【００１９】
基部１は、使用者が把持する把持部材Ｂを取り付ける部材であり、折曲げ作業用工具の基礎的な部分であり、略円筒形状を有している。そして、基部１の他端側である下方側から把持部材Ｂを挿通するための挿通孔１２が穿設されており把持部材Ｂを挿通孔１２に挿通することができる。さらに、挿通孔の奥である基部１の内面には雌螺子１３が螺設されており、把持部の一端側に設けられた雄螺子と螺合して着脱自在とされている。基部１と把持部材Ｂを着脱自在となる構造を有することにより、折曲げ作業用工具を嵩張らずに保管することができ、また、把持部材Ｂを他の折曲げ作業用工具に対しても使用することができるので使用する把持部材Ｂの本数を減らすことができる。なお、本実施形態において、基部１の内面には雌螺子１３が螺設されているが、他の実施形態において雄螺子とし、把持部材Ｂの一端側を雌螺子として着脱自在にすることもできるし、また、基部１の内面に突起を設けて把持部材Ｂの一端側にその突起と係合する係合部分を設けるなどの方法により基部１と把持部材Ｂを着脱自在とすることができるし、さらに、基部１の外側からボルトを差し込むなどして把持部材Ｂを固定して着脱自在とすることができる。また、図１、図２に示すように、基部１の側面に軽量化のために肉盗みとして孔を穿設することもできる。そして、図６に示すように、基部１に把持部材Ｂが予め取り付けられた状態で本発明に係る折曲げ作業用工具を流通することができる。
【００２０】
折曲げ部２は、折り曲げようとする金属管などの管状部材４と当接しうる第一係合溝２１と、第一係合溝２１に対向し、管状部材４を保持したときの管状部材４の長手方向、すなわち図３における左右方向における長さが第一係合溝２１よりも短く、管状部材４を支持する第一支持部２２を有している。第一係合溝２１は、管状部材４を下から支える部材であり、図４に示すように、下方の基部１側に向かって窪んだ曲面状である。また、第一支持部２２は、管状部材４を上から支える部材であり、下方の基部１とは反対側に向かって窪んだ湾曲した形状を有している。第一係合溝２１と第一支持部２２により、図６に示すように、管状部材４を支持して、使用者が把持する箇所を力点、第一係合溝２１と当接する箇所を支点、第一支持部２２と当接する箇所を作用点として、てこの原理により管状部材４を所望の角度に曲げることができる。本実施形態において、第一係合溝２１は、直径が１９ｍｍの金属管と適合するように湾曲しているが、他の実施形態において、第二係合溝２３と湾曲率が異なる限りにおいて他の金属管と適合するように湾曲させることができる。
【００２１】
そして、折曲げ部２は、管状部材４と当接しうる第二係合溝２３と、第二係合溝２３に対向し、管状部材４を保持したときの管状部材４の長手方向、すなわち図３における左右方向における長さが第二係合溝２３よりも短く、管状部材４を支持する第二支持部２４を有している。第二係合溝２３は、管状部材４を下から支える部材であり、図４に示すように、下方の基部１側に向かって窪んだ曲面状である。また、第二支持部２４は、管状部材４を上から支える部材であり、下方の基部１とは反対側に向かって窪んだ湾曲した形状を有している。第二係合溝２３と第二支持部２４により、図６と同様に、管状部材４を支持して、使用者が把持する箇所を力点、第二係合溝２３と当接する箇所を支点、第二支持部２４と当接する箇所を作用点として、てこの原理により管状部材４を所望の角度に曲げることができる。本実施形態において、第二係合溝２３は、直径が２５ｍｍの金属管と適合するように湾曲しているが、他の実施形態において、第一係合溝２１と湾曲率が異なる限りにおいて他の金属管と適合するように湾曲させることができる。
【００２２】
そして、第一係合溝２１及び第二係合溝２３が、基部１側に向かって窪んでおり、それぞれ曲率半径の異なる曲面状である。図４に示すように、相対的に第一係合溝２１の曲率半径が小さく、第二係合溝２３の曲率半径が大きくなっている。このように構成することにより、例えば、直径が１９ｍｍ、２５ｍｍなどの２種類の異なる管状部材４に対しても、ひとつの折曲げ作業用工具で加工でき、管状部材４の直径によっていちいち折曲げ作業用工具を取り換える必要がないため作業効率を向上させることができる。また、図５に示すように、第一係合溝２１及び第二係合溝２３は略平行に並設されている。
【００２３】
また、第一係合溝２１及び第二係合溝２３は、外側面側から、すなわち図３における紙面手前から奥側又は紙面奥側から手前側の方向から見ると、基部１側から突出するように、一定の曲率半径を有し、管状部材４を保持したときの管状部材４の長手方向、すなわち図３における左右方向に基部１の上端側を覆って湾曲状に形成されており、その長さは第一係合溝２１よりも第二係合溝２３の方が長くなっている。
【００２４】
そして、第一支持部２２と第二支持部２４が、管状部材４を保持したときの管状部材４の長手方向、すなわち図３における左右方向において所定の間隔をあけて設けられている。第一支持部２２と第二支持部２４の基端は、第一係合溝２１及び第二係合溝２３の間である中央側の端部の境界からそれぞれ立設して、それぞれ第一係合溝２１及び第二係合溝２３を覆うように湾曲している。第一支持部２２と第二支持部２４が、隣り合わせではなく、図３における左右方向において所定の間隔をあけて設けられていることにより、図６に示すように、１９ｍｍの金属管である管状部材４を外側から後述する開口部３を介して第一係合溝２１と第一支持部２２との間に挿入して折り曲げることができ、そして、前後方向に１８０°反転させることにより、２５ｍｍの金属管も同様に外側から後述する開口部３を介して第二係合溝２３と第二支持部２４との間に挿入して折り曲げることができるというように、使用者が右利きであれば常に外側から金属管を挿入することができるので、作業性を向上することができる。なお、使用者が左利きであれば、第一支持部２２と第二支持部２４の配置を前後逆にするなどの変更によって、同様に、常に外側から金属管を挿入することができるので、やはり作業性を向上することができる。
【００２５】
そして、第一支持部２２及び第二支持部２４が、それぞれ第一係合溝２１及び第二係合溝２３に対して膨んで、そしてそれぞれの曲率半径が異なる湾曲した形状である。第一支持部２２は、第一係合溝２１と対向する部分において第一係合溝２１の曲率半径と略同等の曲率半径を有する板状部材であり、第二支持部２４は、第二係合溝２３と対向する部分において第二係合溝２３の曲率半径と略同等の曲率半径を有する板状部材であることから、それぞれに対応する直径を有する管状部材４を安定して支持することができる。
【００２６】
そして、第一係合溝２１及び第一支持部２２の間であって外側面側において、第一開口部３１を有しており、より具体的には第一係合溝２１の外側面側と第一支持部２２の外側面側において、所定の管状部材４を挿入することが間隔を有する第一開口部３１を有している。そして、第二係合溝２３及び第二支持部２４の間であって外側面側において、第二開口部３２を有しており、より具体的には第二係合溝２３の外側面側と第二支持部２４の外側面側において、所定の管状部材４を挿入することが間隔を有する第二開口部３２を有している。第一開口部３１及び第二開口部３２などの開口部３を備えることにより、管状部材４を折曲げ作業用工具の外側面側から挿入することができるので、数ｍなど長さの長い金属管の中間位置などの途中部分を折り曲げようとするときに折曲げ作業用工具に設置させやすくなる。
【００２７】
連結部５は、基部１と折曲げ部２を連結する部材であり、基部１側面から板状の部材として立設され折曲げ部２の下面と固設されることにより、基部１と折曲げ部２を連結している。本実施形態において、基部１、折曲げ部２及び連結部５は一体的に成形されている。また、本実施形態において、基部１、折曲げ部２と接続する部材として連結部５が設けられているが、他の実施形態において、連結部５が設けずに、基部１と折曲げ部２を直接的に結び付けて一体的に形成することもできる。
【００２８】
基部１、折曲げ部２及び連結部５の材質は、金属管などの管状部材４を折り曲げるときに管状部材４との当接箇所に生じる力に耐え得るために金属などの材質であることが好ましく、鉄、鋼、鋳鉄、硬質アルミ、ステンレスなどであることが好ましい。
【符号の説明】
【００２９】
１・・・基部
１２・・・挿通孔
１３・・・雌螺子
２・・・折曲げ部
２１・・・第一係合溝
２２・・・第一支持部
２３・・・第二係合溝
２４・・・第二支持部
３・・・開口部
３１・・・第一開口部
３２・・・第二開口部
４・・・管状部材
５・・・連結部
Ｂ・・・把持部材
【図１】
2018202453.tif 000003
【図２】
2018202453.tif 000004
【図３】
2018202453.tif 000005
【図４】
2018202453.tif 000006
【図５】
2018202453.tif 000007
【図６】
2018202453.tif 000008